(57)【特許請求の範囲】
【請求項１】
利用者からの金銭の投入を受け付ける受付部と、
前記受付部に投入された金銭の額面のうちの最小単位の額面の釣銭の数が１以上である場合に前記利用者へ警告情報を出力する出力部と、
前記受付部に投入された金銭に基づいて前記利用者に釣銭を払い出し、前記出力部によって前記警告情報が出力される場合は前記釣銭の払い出しを一時保留する払出部と、
を備えることを特徴とする決済装置。
【請求項２】
前記出力部は、前記受付部への前記最小単位の額面の投入数が前記最小単位の額面の釣銭の数以下である場合は前記警告情報を出力し、前記最小単位の額面の投入数が前記最小単位の額面の釣銭の数より大きい場合は、前記投入された金銭の額面のうちの最小単位の額面の釣銭の数が１以上である場合であっても前記警告情報を出力しないことを特徴とする請求項１に記載の決済装置。
【請求項３】
前記受付部への額面ごとの投入数を計数する計数部と、
前記利用者が支払うべき価格を取得する取得部と、
前記計数部によって計数された投入数と、前記取得部によって取得された価格と、に基づいて前記最小単位の額面および前記最小単位の額面の釣銭の数を算出する算出部と、
前記算出部の算出結果に基づいて前記出力部および前記払出部を制御する制御部と、
を備えることを特徴とする請求項１または２に記載の決済装置。
【請求項４】
前記払出部が現在払い出し可能な釣銭を示す釣銭情報を記憶する釣銭記憶部を備え、
前記算出部は、前記釣銭記憶部によって記憶された釣銭情報に基づいて、前記払出部が現在払い出し可能な前記最小単位の額面の釣銭の数を算出することを特徴とする請求項３に記載の決済装置。
【請求項５】
前記利用者による金銭の投入により前記利用者へ商品を提供する自動販売機に適用される決済装置であって、
前記商品と前記価格とを対応付ける商品価格情報を記憶する価格記憶部と、
前記利用者による前記商品の選択を受け付ける選択受付部と、
を備え、
前記取得部は、前記価格記憶部によって記憶された商品価格情報に基づいて、前記選択受付部によって選択された商品に対応する価格を取得することを特徴とする請求項３または４に記載の決済装置。
【請求項６】
決済装置が、
利用者からの金銭の投入を受け付け、
投入された金銭の額面のうちの最小単位の額面の釣銭の数が１以上である場合に前記利用者へ警告情報を出力し、
投入された金銭に基づいて前記利用者に釣銭を払い出し、前記警告情報を出力する場合は前記釣銭の払い出しを一時保留する、
ことを特徴とする決済方法。
【発明の詳細な説明】
【技術分野】
【０００１】
本発明は、金銭の投入に対して釣銭を払い出す決済装置および決済方法に関する。
【背景技術】
【０００２】
金銭の投入に対して商品やサービスを提供する自動販売機や自動サービス機などにおいては、利用者が支払うべき価格と、利用者による投入額と、の差分を釣銭として払い出す決済装置が設けられている。このような決済装置について、利用者が多い枚数の釣銭を受け取らなくても済むようにする技術が知られている（たとえば、下記特許文献１参照。）。この技術においては、釣銭枚数が多くなると判定する場合の価格の端数を参照値として設定しておき、購入する商品の価格の端数が参照値と一致した場合に、釣銭の支払いを保留し、釣銭枚数が少ない投入金額のパターンを表示する。
【先行技術文献】
【特許文献】
【０００３】
【特許文献１】特開２００８−１７６３９５号公報
【発明の概要】
【発明が解決しようとする課題】
【０００４】
しかしながら、従来技術では、利用者が釣銭を減らすことを意図して小銭を投入したが、利用者の誤りにより小銭の投入数が足りず、投入した小銭がそのまま釣銭になってしまうことがあり、利用者にとって不便であるという問題がある。たとえば、利用者が、７０円の商品に対して、１００円玉１枚と１０円玉２枚を投入することで釣銭として５０円玉１枚を受け取ろうとする場合を想定する。この場合に、利用者が誤って１００円玉１枚と１０円玉１枚を投入して決済を行うと、１０円玉４枚が釣銭として払い出されてしまう。
【０００５】
また、商品の値段と参照値とに基づいて釣銭枚数が多くなると判断する技術では、商品の値段の端数と参照値とが一致する場合は、利用者に釣銭を減らす意図がなくても、釣銭の支払いが保留され、投入金額のパターンが表示されてしまう。また、参照値の設定によっては、利用者に釣銭を減らす意図があって小銭を投入しても、商品の値段の端数と参照値とが一致せず、多くの小銭が払い出されてしまうこともある。
【０００６】
開示の決済装置および決済方法は、上述した問題点を解消するものであり、利用者の利便性を向上させることを目的とする。
【課題を解決するための手段】
【０００７】
上述した課題を解決し、目的を達成するため、開示技術は、決済装置において、利用者からの金銭の投入を受け付け、投入された金銭の額面のうちの最小単位の額面の釣銭の数が１以上である場合に前記利用者へ警告情報を出力し、投入された金銭に基づいて前記利用者に釣銭を払い出し、前記出力部によって前記警告情報が出力される場合は前記釣銭の払い出しを一時保留する。
【発明の効果】
【０００８】
開示の決済装置および決済方法によれば、利用者の利便性を向上させることができるという効果を奏する。
【図面の簡単な説明】
【０００９】
【図１】図１は、実施の形態にかかる決済装置を示す図である。
【図２】図２は、決済装置を適用した自動販売機の一例を示す図である。
【図３】図３は、釣銭情報の一例を示す図である。
【図４】図４は、商品価格情報の一例を示す図である。
【図５】図５は、自動販売機の制御回路による制御例１を示すフローチャートである。
【図６】図６は、制御例１における表示の一例を示す図である。
【図７】図７は、制御例１における表示の他の例を示す図である。
【図８】図８は、自動販売機の制御回路による制御例２を示すフローチャートである。
【図９】図９は、制御例２における表示の一例を示す図である。
【図１０】図１０は、制御例２における表示の他の例を示す図である。
【図１１】図１１は、自動販売機の制御回路による制御例３を示すフローチャートである。
【図１２】図１２は、制御例３における表示の一例を示す図である。
【図１３】図１３は、制御例３における表示の他の例を示す図である。
【図１４】図１４は、額面ごとの釣銭の数の算出の一例を示すフローチャートである。
【図１５】図１５は、額面ごとの釣銭の数の算出の他の例を示すフローチャートである。
【発明を実施するための形態】
【００１０】
以下に添付図面を参照して、開示技術の好適な実施の形態を詳細に説明する。
【００１１】
（実施の形態）
（決済装置の構成）
図１は、実施の形態にかかる決済装置を示す図である。図１に示す決済装置１００は、利用者（たとえば購入者）からの投入額に対する釣銭を利用者に払い出す決済装置である。決済装置１００は、受付部１１０と、制御回路１２０と、出力部１３０と、払出部１４０と、を備える。受付部１１０は、利用者からの金銭の投入を受け付ける。受付部１１０は、たとえば利用者が金銭を投入可能な投入口である。受付部１１０は、投入された金銭を示す情報を制御回路１２０へ出力する。
【００１２】
制御回路１２０は、受付部１１０に投入された金銭に基づいて出力部１３０および払出部１４０を制御する。制御回路１２０は、たとえばＤＳＰ（Ｄｉｇｉｔａｌ  Ｓｉｇｎａｌ  Ｐｒｏｃｅｓｓｏｒ）によって実現することができる。制御回路１２０は、計数部１２１と、取得部１２２と、算出部１２３と、を備えている。
【００１３】
計数部１２１は、受付部１１０から出力される情報に基づいて、受付部１１０への金銭の投入数を額面ごとに計数する。計数部１２１は、計数した額面ごとの投入数を算出部１２３へ出力する。符号１２１ａは、計数部１２１が計数する額面ごとの投入数の一例を示している。ここでは、利用者によって、１０００円札が１枚と、１０円玉が４枚と、が投入されたとする。
【００１４】
取得部１２２は、利用者が支払うべき価格（代価）を取得する。たとえば、決済装置１００が適用される装置には、利用者が提供を希望する項目（たとえば商品やサービス）を利用者が選択する選択受付部（たとえばボタンやタッチパネル）が設けられている。また、決済装置１００のメモリには、利用者へ提供する項目と価格とを対応付けた価格情報が記憶されている。取得部１２２は、利用者が選択受付部によって選択した項目を取得し、取得した項目に対応する価格を価格情報から取得する。
【００１５】
または、利用者に提供される項目が１つであったり、利用者に提供される各項目の価格が同じである場合は、利用者が支払うべき価格は一定となる。この場合は、利用者が支払うべき価格を決済装置１００のメモリに記憶しておいてもよい。そして、取得部１２２は、決済装置１００のメモリから価格を取得する。取得部１２２は、取得した価格を示す情報を算出部１２３へ出力する。符号１２２ａは、取得部１２２が取得する価格の一例を示している。ここでは、利用者が支払うべき価格が１５０円であるとする。
【００１６】
算出部１２３は、計数部１２１から出力された情報に基づいて、受付部１１０に投入された金銭の額面のうちの最小単位の額面（以下、投入最小額面と称する。）を算出する。また、算出部１２３は、計数部１２１から出力された情報と、取得部１２２から出力された情報と、に基づいて投入最小額面の釣銭の数を算出する。
【００１７】
具体的には、算出部１２３は、計数部１２１からの情報が示す額面ごとの投入数に基づいて利用者による投入額を算出する（額面×投入数の合計）。そして、算出部１２３は、算出した投入額および取得部１２２からの情報が示す価格に基づいて利用者への釣銭額を算出する（投入額−価格）。そして、算出部１２３は、算出した釣銭額と、決済装置１００が払い出し可能な額面と、に基づいて、額面ごとの釣銭の数を算出することができる（たとえば図１４，図１５参照）。これにより、投入最小額面の釣銭の数を算出することができる。算出部１２３は、算出結果を示す情報を制御部１２４へ出力する。
【００１８】
符号１２３ａは、算出部１２３が算出する投入額の一例を示している。利用者によって、１０００円札が１枚と、１０円玉が４枚と、が投入された場合（符号１２１ａ）は、利用者による投入額は１０４０円となる。符号１２３ｂは、算出部１２３が算出する釣銭額の一例を示している。利用者が投入すべき金額が１５０円であり（符号１２２ａ）、利用者による投入額が１０４０円である場合は（符号１２３ａ）、利用者への釣銭額は８９０円となる。符号１２３ｃは、算出部１２３が算出する額面ごとの釣銭の数の一例である。利用者に支払うべき釣銭額が８９０円である場合は（符号１２３ｂ）、額面ごとの釣銭の数は、５００円玉が１枚、１００円玉が３枚、５０円玉が１枚、１０円玉が４枚、となる。したがって、投入最小額面の釣銭の数は、１０円玉が４枚となる。
【００１９】
制御部１２４は、算出部１２３から出力された算出結果に基づいて出力部１３０および払出部１４０を制御する。具体的には、制御部１２４は、投入最小額面の釣銭の数が１以上である場合に、出力部１３０に警告情報を出力させる。また、制御部１２４は、投入最小額面の釣銭の数が０である場合に、出力部１３０に警告情報の出力を行わせない。
【００２０】
また、制御部１２４は、額面ごとの釣銭の数に基づいて、利用者への釣銭額を払出部１４０に払い出させる。また、制御部１２４は、出力部１３０に警告情報を出力させる場合は、払出部１４０に対して釣銭の払い出しを一時保留させる。
【００２１】
出力部１３０は、制御回路１２０の制御により、投入最小額面の釣銭の数が１以上である場合に利用者へ警告情報を出力する。ここで、利用者は、投入最小額面の釣銭を受け取る意図はないと考えることができる。たとえば、利用者が１０円玉を投入（誤りによる投入を除く）した場合は、利用者は１０円玉の釣銭を受け取る意図はないと考えることができる。
【００２２】
したがって、投入最小額面の釣銭の数が１以上である場合は、利用者が釣銭の数を減らすことを意図して小銭を投入したにも関わらず、利用者の誤りによって、釣銭の数を減らすには小銭の投入数が不足していることが想定される。このため、投入最小額面の釣銭の数が１以上である場合に出力部１３０から警告情報を出力することで、小銭が不足していることを利用者に気付かせることができる。
【００２３】
警告情報は、投入最小額面の投入数が、釣銭を減らすには不足していることを直接的または間接的に利用者へ通知する情報である。出力部１３０による警告情報の出力の方式には種々の方式を用いることができる。たとえば、出力部１３０は、警告情報を画面表示によって出力するディスプレイである。または、出力部１３０は、警告情報を音声によって出力するスピーカであってもよい。または、出力部１３０は、発光によって警告情報を出力する発光素子であってもよい。
【００２４】
符号１３０ａは、出力部１３０による警告情報の出力の一例を示している。警告情報の出力は、たとえば、投入最小額面の投入数が不足していることを直接的に通知するメッセージの出力である。この場合は、警告情報は、投入最小額面の不足を通知するものであってもよいし、単に金銭の投入数が不足していることを通知するものであってもよい。
【００２５】
または、警告情報の出力は、たとえば小銭の投入数が現状のままでよいか否かを確認することによって投入最小額面の投入数が不足していることを間接的に通知するメッセージの出力などであってもよい。または、警告情報の出力は、受付部１１０や価格の表示部分や投入額の表示部分の発光（ランプの点滅など）など、投入最小額面の投入数が不足していることを間接的に通知して気付かせるものであってもよい。
【００２６】
払出部１４０は、制御回路１２０の制御により、受付部１１０に投入された金銭に基づいて利用者に釣銭を払い出す。また、払出部１４０は、制御回路１２０の制御により、出力部１３０によって警告情報の出力が行われた場合は、釣銭の払い出しを一時保留する。これにより、出力部１３０によって投入数が不足していることに気付いた利用者が、金銭（小銭）を追加投入する機会を得ることができる。払出部１４０は、たとえば、利用者に金銭を払い出す払出口である。
【００２７】
これにより、利用者は釣銭を減らすことを意図して小銭（たとえば１０円玉を４枚）を投入したが、利用者の誤りにより小銭の投入数が不足している場合に、小銭が不足していることを利用者に気付かせ、小銭の更なる投入を促すことができる。このため、投入した小銭がそのまま釣銭になってしまうことを回避し、利便性を向上させることができる。
【００２８】
＜変形例１＞
計数部１２１は、受付部１１０への額面ごとの投入数を、より大きな額面への換算（集計）が可能な場合は換算を行って計数するようにしてもよい。たとえば、受付部１１０に対して１０００円札が１枚と、１０円玉が５枚と、投入された場合は、計数部１２１は、１０００円札が１枚と、５０円玉が１枚と、に換算して計数する。
【００２９】
これにより、利用者が１０円玉を５枚投入した場合は、投入最小額面の釣銭の数が５０円玉の０枚となり、出力部１３０による通知がなされない。したがって、釣銭の数を減らすことができるにも関わらず、出力部１３０による警告情報の出力がなされるとともに釣銭の払い出しが一時保留されることを回避することができる。これにより、利便性をさらに向上させることができる。
【００３０】
＜変形例２＞
制御部１２４は、投入最小額面の釣銭の数が１以上であっても、投入最小額面の投入数が投入最小額面の釣銭の数より大きい場合は、出力部１３０に警告情報の出力を行わせず、払出部１４０による釣銭の払い出しも保留させないようにしてもよい。この場合も、制御部１２４は、投入最小額面の釣銭の数が１以上であり、投入最小額面の投入数が投入最小額面の釣銭の数以下である場合は出力部１３０に警告情報を出力させる。
【００３１】
投入最小額面の釣銭の数が１以上であっても投入最小額面の投入数が投入最小額面の釣銭の数より大きい場合は、利用者は釣銭を減らすことを意図して小銭を投入したが、利用者の誤りにより小銭の投入数が過剰となったことが想定される。したがって、投入最小額面の投入数が投入最小額面の釣銭の数より大きい場合に警告情報の出力および釣銭の払い出しの保留を行わないことで、利用者の利便性をさらに向上させることができる。
【００３２】
たとえば、利用者が支払うべき価格が１０２０円であり、１０００円札が１枚と、１０円玉が３枚と、が投入された場合は、投入最小額面（１０円玉）の釣銭の数は１（１以上）となる。この場合は、投入最小額面（１０円玉）の投入数（３）が、投入最小額面（１０円玉）の釣銭の数（１）より大きいため、警告情報の出力および釣銭の払い出しの保留が行われず、釣銭が払い出される。したがって、利用者が誤りによって１０円玉を１枚多く投入してしまっても、警告情報の出力および釣銭の払い出しが行われない。
【００３３】
＜決済装置を適用可能な装置＞
決済装置１００は、たとえば、利用者によって金銭が投入される装置であって、利用者が支払うべき価格と、利用者による投入額と、の差分を釣銭として払い出す装置に適用することができる。たとえば、決済装置１００は、商品（ジュースやタバコなど）やチケットなどを販売する自動販売機などに適用することができる。また、決済装置１００は、ジュークボックス、アーケードゲーム機、公衆電話、ボウリングの靴貸出機などのサービスを提供する自動サービス機などに適用することができる。また、決済装置１００は、販売額の計算や記録を行い釣銭払出機能のあるキャッシュレジスタや、乗越精算機、駐車料金精算機、有料道路の料金自動収受機などに適用することができる。
【００３４】
（自動販売機の構成）
図２は、決済装置を適用した自動販売機の一例を示す図である。図２に示すように、自動販売機２００は、金銭投入口２１１と、購入ボタン２１２と、ディスプレイ２１３と、商品提供口２１４と、釣銭払出口２１５と、制御回路２２０と、メモリ２３０と、を備えている。金銭投入口２１１は、利用者による金銭の投入を受け付ける。購入ボタン２１２は、利用者が押下することにより、利用者が購入を希望する商品を選択するための選択受付部である。自動販売機２００が提供可能な商品が複数ある場合は、提供可能な商品ごとに購入ボタン２１２が設けられる。
【００３５】
ディスプレイ２１３は、制御回路２２０の制御に従って、利用者に対する画面表示を行う。たとえば、ディスプレイ２１３は、提供可能な商品の情報や、商品の価格や、投入済みの金銭の合計額などの各種情報を表示する。商品提供口２１４は、制御回路２２０の制御に従って、金銭投入口２１１に金銭を投入した利用者に対して商品を提供する。釣銭払出口２１５は、制御回路２２０の制御に従って、金銭投入口２１１に金銭を投入した利用者に対して利用者へ釣銭を払い出す。
【００３６】
制御回路２２０は、金銭投入口２１１へ投入された金銭の数を示す情報と、購入ボタン２１２の押下状態を示す情報と、を取得する。そして、制御回路２２０は、取得した各情報に基づいてディスプレイ２１３、商品提供口２１４および釣銭払出口２１５を制御する。制御回路２２０は、たとえばＤＳＰによって実現することができる。
【００３７】
メモリ２３０は、制御回路２２０によって利用される情報を記憶している。たとえば、メモリ２３０は、釣銭払出口２１５が現在（決済時に）払出可能な釣銭を示す釣銭情報（たとえば図３参照）を記憶する釣銭記憶部として用いることができる。また、メモリ２３０は、自動販売機２００が提供可能な商品および商品の価格を示す商品価格情報（たとえば図４参照）を記憶する価格記憶部として用いることができる。
【００３８】
図１に示した受付部１１０は、金銭投入口２１１によって実現することができる。図１に示した制御回路１２０は、制御回路２２０によって実現することができる。図１に示した出力部１３０は、たとえばディスプレイ２１３によって実現することができる。または、図１に示した出力部１３０は、たとえば購入ボタン２１２や購入ボタン２１２の周辺に設けられた発光素子などによって実現することができる。図１に示した払出部１４０は、釣銭払出口２１５によって実現することができる。
【００３９】
図３は、釣銭情報の一例を示す図である。図２に示したメモリ２３０には、たとえば釣銭情報３００が記憶されている。自動販売機２００は、それぞれＸ（０）〜Ｘ（８）として表現される１円玉、５円玉、１０円玉、５０円玉、１００円玉、５００円玉、１０００円札、２０００円札および５０００円札の額面が処理可能であるとする。釣銭情報３００においては、自動販売機２００が処理可能な額面Ｘ（０）〜Ｘ（８）ごとに、釣銭払出口２１５が釣銭として払出可能な釣銭残数Ｙ（０）〜Ｙ（８）が対応付けられている。
【００４０】
図４は、商品価格情報の一例を示す図である。図２に示したメモリ２３０には、たとえば商品価格情報４００が記憶されている。商品価格情報４００においては、商品提供口２１４によって提供可能な商品Ｉ（０）〜Ｉ（３），…ごとに価格が対応付けられている。制御回路２２０は、購入ボタン２１２によって利用者によって指定された商品に対応する価格を商品価格情報４００から取得する。
【００４１】
（制御回路による制御例１）
図５は、自動販売機の制御回路による制御例１を示すフローチャートである。図２に示した自動販売機２００の制御回路２２０は、たとえば図５に示す各ステップを実行する。自動販売機２００は、投入額が商品の価格以上になると購入ボタン２１２の押下が有効になり、有効な状態で購入ボタン２１２が押下されると商品提供口２１４から商品が提供されるとともに釣銭払出口２１５から釣銭が払い出される自動販売機であるとする。
【００４２】
まず、制御回路２２０は、利用者（購入者）から金銭投入口２１１への金銭の投入を受け付ける（ステップＳ５０１）。つぎに、制御回路２２０は、利用者による購入ボタン２１２の押下を受け付ける（ステップＳ５０２）。つぎに、制御回路２２０は、ステップＳ５０２において押下された購入ボタンに対応する商品の価格を商品価格情報４００から取得する（ステップＳ５０３）。つぎに、制御回路２２０は、ステップＳ５０１における金銭の額面ごとの投入数を、より大きな単位の額面へ換算する（ステップＳ５０４）。
【００４３】
つぎに、制御回路２２０は、ステップＳ５０４によって換算された額面ごとの投入数と、ステップＳ５０３によって取得された価格と、に基づいて利用者への釣銭額を算出する（ステップＳ５０５）。つぎに、制御回路２２０は、ステップＳ５０５によって算出された釣銭額に基づいて、利用者へ払い出す釣銭の数を額面ごとに算出する（ステップＳ５０６）。つぎに、制御回路２２０は、額面Ｘ（Ａ）のインデックスＡを０に設定することで初期化する（ステップＳ５０７）。
【００４４】
つぎに、制御回路２２０は、ステップＳ５０４によって換算された額面ごとの投入数に基づいて、額面Ｘ（Ａ）の投入数が１以上であるか否かを判断する（ステップＳ５０８）。額面Ｘ（Ａ）の投入数が１以上でない場合（ステップＳ５０８：Ｎｏ）は、制御回路２２０は、インデックスＡに１を加える（ステップＳ５０９）。
【００４５】
つぎに、制御回路２２０は、インデックスＡが８より大きいか否かを判断する（ステップＳ５１０）。すなわち、制御回路２２０は、処理可能な額面のすべてについて処理済みか否かを判断する。インデックスＡが８より大きい場合（ステップＳ５１０：Ｙｅｓ）は、制御回路２２０はステップＳ５１５へ移行する。この場合は、警告情報の出力が行われずに商品の提供および釣銭の払い出しが行われる。インデックスＡが８より大きくない場合（ステップＳ５１０：Ｎｏ）は、制御回路２２０はステップＳ５０８へ戻る。
【００４６】
ステップＳ５０８において、額面Ｘ（Ａ）の投入数が１以上である場合（ステップＳ５０８：Ｙｅｓ）は、制御回路２２０は、ステップＳ５１１へ移行する。このとき、額面Ｘ（Ａ）は、投入最小額面を示している。制御回路２２０は、ステップＳ５０６によって算出された釣銭の数のうちの、額面Ｘ（Ａ）の釣銭の数が１以上であるか否かを判断する（ステップＳ５１１）。
【００４７】
ステップＳ５１１において、額面Ｘ（Ａ）の釣銭の数が１以上でない場合（ステップＳ５１１：Ｎｏ）は、制御回路２２０は、ステップＳ５０９へ移行する。額面Ｘ（Ａ）の釣銭の数が１以上である場合（ステップＳ５１１：Ｙｅｓ）は、制御回路２２０は、釣銭の数を減らすためには額面Ｘ（Ａ）の投入数が不足している旨の警告情報を出力する（ステップＳ５１２）。この場合は、制御回路２２０は、商品提供口２１４からの商品の提供を一時保留している。
【００４８】
つぎに、制御回路２２０は、ステップＳ５１２の後に金銭投入口２１１へ金銭が投入されたか否かを判断する（ステップＳ５１３）。金銭が投入された場合（ステップＳ５１３：Ｙｅｓ）は、制御回路２２０は、ステップＳ５０４へ戻る。金銭が投入されていない場合（ステップＳ５１３：Ｎｏ）は、制御回路２２０は、ステップＳ５１２の後に購入ボタン２１２が押下されたか否かを判断する（ステップＳ５１４）。
【００４９】
ステップＳ５１４において、購入ボタン２１２が押下されていない場合（ステップＳ５１４：Ｎｏ）は、制御回路２２０は、ステップＳ５１３へ戻る。購入ボタン２１２が押下された場合（ステップＳ５１４：Ｙｅｓ）は、制御回路２２０は、ステップＳ５０２において押下された購入ボタン２１２に対応する商品を商品提供口２１４から提供する（ステップＳ５１５）。
【００５０】
つぎに、制御回路２２０は、ステップＳ５０４によって算出された額面ごとの釣銭の数に基づいて、ステップＳ５０５によって算出された釣銭額を釣銭払出口２１５から利用者に払い出し（ステップＳ５１６）、一連の動作を終了する。以上の各ステップにより、投入最小額面の釣銭の数が１以上の場合は警告情報を出力するとともに釣銭の払い出しを一時保留することができる。
【００５１】
また、ステップＳ５１１において、制御回路２２０は、額面Ｘ（Ａ）の釣銭の数が１以上であり、かつ額面Ｘ（Ａ）の投入数が額面Ｘ（Ａ）の釣銭の数以下か否かを判断してもよい。そして、制御回路２２０は、額面Ｘ（Ａ）の釣銭の数が１以上であり、かつ額面Ｘ（Ａ）の投入数が額面Ｘ（Ａ）の釣銭の数以下である場合はステップＳ５１２へ移行する。また、制御回路２２０は、額面Ｘ（Ａ）の釣銭の数が０であるか、または額面Ｘ（Ａ）の投入数が額面Ｘ（Ａ）の釣銭の数より大きい場合はステップＳ５０９へ移行する。これにより、投入最小額面の釣銭の数が１以上であっても、投入最小額面の投入数が投入最小額面の釣銭の数より大きい場合は、警告情報の出力および釣銭の払い出しの保留を行わないようにすることができる。
【００５２】
このように、購入ボタン２１２は、決済の実行の指示を受け付ける指示受付部の機能も有する。ただし、決済の実行の指示を受け付ける指示受付部を購入ボタン２１２とは別に設けてもよい。制御回路２２０は、釣銭の払い出しを保留した後に、指示受付部に対して決済の実行が指示された場合（購入ボタン２１２がさらに押下された場合）に釣銭を払い出す。これにより、利用者は、警告情報が出力された場合に、金銭の追加投入を行わなくても決済（購入）を行うことができる。このため、たとえば、釣銭を減らすことを意図して小銭を投入したが、釣銭を減らすには手持ちの小銭が足りなかった場合や、急いでいる場合などにも利用者にストレスを与えずに決済を行うことができる。
【００５３】
図６は、制御例１における表示の一例を示す図である。図６においては、制御回路２２０がディスプレイ２１３によって警告情報を出力する場合について説明する。状態６０１〜６０５のそれぞれは、図５に示した制御例１における制御回路２２０のディスプレイ２１３による表示状態を示している。
【００５４】
状態６０１は、制御回路２２０が金銭投入口２１１への金銭の投入を受け付けている投入受付時（図５のステップＳ５０１）のディスプレイ２１３による表示状態である。状態６０１に示すように、制御回路２２０は、「お金を入れてください。」のメッセージをディスプレイ２１３に表示させることにより利用者に対して金銭の投入を促す。状態６０１において金銭が投入されるとディスプレイ２１３は状態６０２へ移行する。
【００５５】
状態６０２は、制御回路２２０が購入ボタン２１２の押下の受付を行っている押下受付時（図５のステップＳ５０２）のディスプレイ２１３による表示状態である。状態６０２に示すように、制御回路２２０は、「商品を選択してください。」のメッセージをディスプレイ２１３に表示させることにより利用者に対して購入ボタン２１２の押下を促す。状態６０２において購入ボタン２１２が押下されるとディスプレイ２１３は状態６０３〜６０５のいずれかへ移行する。
【００５６】
状態６０３は、投入額が、押下された購入ボタン２１２に対応する商品の価格未満であった場合（投入額＜価格）のディスプレイ２１３による表示状態である。状態６０３に示すように、制御回路２２０は、「お金が不足しています。」のメッセージをディスプレイ２１３に表示させることにより利用者に対して金銭の追加投入を促す。状態６０３において金銭が投入されるとディスプレイ２１３は状態６０３〜６０５のいずれかへ移行する。
【００５７】
状態６０４は、投入額が、押下された購入ボタン２１２に対応する商品の価格以上であり、投入最小額面の釣銭の数が０（小銭充足）である場合（図５のステップＳ５１０からステップＳ５１５へ移行する場合）のディスプレイ２１３による表示状態である。状態６０４に示すように、制御回路２２０は、「購入ありがとうございました。」のメッセージをディスプレイ２１３に表示させる。そして、制御回路２２０は、商品提供口２１４から商品を提供し、釣銭払出口２１５から釣銭を払い出す。
【００５８】
状態６０５は、投入額が、押下された購入ボタン２１２に対応する商品の価格以上であり、投入最小額面の釣銭の数が１以上（小銭不足）である場合（図５のステップＳ５１２）のディスプレイ２１３による表示状態である。状態６０５に示すように、制御回路２２０は、「お金の投入間違いがあります。購入を行う場合は購入ボタンを押してください。」のメッセージをディスプレイ２１３に表示させる。状態６０５において、購入ボタン２１２がさらに押下されるか、金銭投入口２１１へ不足分の金銭が投入されると、制御回路２２０は状態６０４へ移行する。
【００５９】
図７は、制御例１における表示の他の例を示す図である。図７においては、制御回路２２０が購入ボタン２１２の点灯状態によって警告情報を出力する場合について説明する。価格表示部７１０は、制御回路２２０が提供可能な商品ごとに設けられ、商品の価格を表示する部分である。購入ボタン２１２は、制御回路２２０が提供可能な商品ごとに設けられている。状態７０１〜７０５のそれぞれは、制御回路２２０の購入ボタン２１２の状態を示している。
【００６０】
状態７０１は、制御回路２２０が金銭投入口２１１への金銭の投入を受け付けている投入受付時（図５のステップＳ５０１）の購入ボタン２１２の状態である。状態７０１に示すように、制御回路２２０は、購入ボタン２１２を消灯させることで、金銭が投入されておらず購入ボタン２１２の押下が無効であることを利用者に通知する。
【００６１】
状態７０２は、利用者によって金銭投入口２１１に金銭が投入されたが、投入額が価格表示部７１０の価格未満であった場合の購入ボタン２１２の状態である。状態７０２に示すように、制御回路２２０は、購入ボタン２１２を消灯させたままにすることで、投入額が不足しており購入ボタン２１２の押下が無効であることを利用者に通知する。
【００６２】
状態７０３は、利用者によって金銭投入口２１１に金銭が投入され、投入額が価格表示部７１０の価格以上となった場合の購入ボタン２１２の状態である。状態７０３に示すように、制御回路２２０は、図５のステップＳ５０１において、購入ボタン２１２を点灯させることで、購入ボタン２１２の押下が有効であることを利用者に通知する。状態７０３において購入ボタン２１２が押下されるとディスプレイ２１３は状態７０４または状態７０５へ移行する。
【００６３】
状態７０４は、投入最小額面の釣銭の数が０（小銭充足）である場合（図５のステップＳ５１０からステップＳ５１５へ移行する場合）の購入ボタン２１２の状態である。状態７０４に示すように、制御回路２２０は、商品提供口２１４から商品を提供して釣銭払出口２１５から釣銭を払い出すとともに、購入ボタン２１２を消灯することで、決済が終了して購入ボタン２１２の押下が再度無効になったことを利用者へ通知する。
【００６４】
状態７０５は、投入最小額面の釣銭の数が１以上（小銭不足）である場合（図５のステップＳ５１２）の購入ボタン２１２の状態である。状態７０５に示すように、制御回路２２０は、購入ボタン２１２を点滅表示することで、釣銭を減らすには小銭の数が不足していることを利用者へ通知する。状態７０５において利用者が購入ボタン２１２を再度押下するか、小銭の不足分を追加で投入すると、制御回路２２０は、商品提供口２１４から商品を提供し、釣銭払出口２１５から釣銭を払い出すとともに状態７０４へ移行する。
【００６５】
（制御回路による制御例２）
図８は、自動販売機の制御回路による制御例２を示すフローチャートである。図２に示した自動販売機２００の制御回路２２０は、たとえば図８に示す各ステップを実行する。自動販売機２００は、購入ボタン２１２の押下により商品が選択された後に金銭の投入を受け付け、投入額が商品の価格以上になると商品提供口２１４から商品が提供されるとともに釣銭払出口２１５から釣銭が払い出される自動販売機であるとする。
【００６６】
まず、制御回路２２０は、利用者による購入ボタン２１２の押下を受け付ける（ステップＳ８０１）。つぎに、制御回路２２０は、ステップＳ８０１において押下された購入ボタン２１２に対応する商品の価格を商品価格情報４００から取得する（ステップＳ８０２）。つぎに、制御回路２２０は、利用者（購入者）から金銭投入口２１１への金銭の投入を受け付ける（ステップＳ８０３）。
【００６７】
つぎに、制御回路２２０は、ステップＳ８０３における投入額が、ステップＳ８０２によって取得された価格以上か否かを判断する（ステップＳ８０４）。投入額が商品の価格以上でない場合（ステップＳ８０４：Ｎｏ）は、制御回路２２０は、ステップＳ８０３へ戻る。投入額が商品の価格以上である場合（ステップＳ８０４：Ｙｅｓ）は、制御回路２２０は、ステップＳ８０５へ移行する。
【００６８】
図８に示すステップＳ８０５〜Ｓ８１４は、図５に示したステップＳ５０４〜Ｓ５１３と同様である。ステップＳ８１４において、金銭が投入されていない場合（ステップＳ８１４：Ｎｏ）は、制御回路２２０は、ステップＳ８１３によって警報情報が出力されてから所定時間が経過したか否かを判断する（ステップＳ８１５）。
【００６９】
ステップＳ８１５において、所定時間が経過していない場合（ステップＳ８１５：Ｎｏ）は、制御回路２２０は、ステップＳ８１４へ戻る。所定時間が経過した場合（ステップＳ８１５：Ｙｅｓ）は、制御回路２２０は、ステップＳ８１６へ移行する。図８に示すステップＳ８１６，Ｓ８１７は、図５に示したステップＳ５１５，Ｓ５１６と同様である。
【００７０】
図９は、制御例２における表示の一例を示す図である。図９においては、制御回路２２０がディスプレイ２１３によって警告情報を出力する場合について説明する。状態９０１〜９０４のそれぞれは、図８に示した制御例２における制御回路２２０のディスプレイ２１３による表示状態を示している。
【００７１】
状態９０１は、制御回路２２０が購入ボタン２１２の押下の受付を行っている押下受付時（図８のステップＳ８０１）のディスプレイ２１３による表示状態である。状態９０１に示すように、制御回路２２０は、「商品を選択してください。」のメッセージをディスプレイ２１３に表示させることで利用者に購入ボタン２１２の押下を促す。状態９０１において購入ボタン２１２が押下されるとディスプレイ２１３は状態９０２へ移行する。
【００７２】
状態９０２は、制御回路２２０が金銭投入口２１１への金銭の投入を受け付けている投入受付時（図８のステップＳ８０３）のディスプレイ２１３による表示状態である。状態９０２に示すように、制御回路２２０は、「お金を入れてください。」のメッセージをディスプレイ２１３に表示させることにより利用者に対して金銭の投入を促す。状態９０２において金銭が投入され、投入額が商品の価格以上となるとディスプレイ２１３は状態９０３または状態９０４へ移行する。
【００７３】
状態９０３は、投入最小額面の釣銭の数が０（小銭充足）である場合（図８のステップＳ８１１からステップＳ８１６へ移行する場合）のディスプレイ２１３による表示状態である。状態９０３に示すように、制御回路２２０は、「購入ありがとうございました。」のメッセージをディスプレイ２１３に表示させる。そして、制御回路２２０は、商品提供口２１４から商品を提供し、釣銭払出口２１５から釣銭を払い出す。
【００７４】
状態９０４は、投入最小額面の釣銭の数が１以上（小銭不足）である場合（図８のステップＳ８１３）のディスプレイ２１３による表示状態である。状態９０４に示すように、制御回路２２０は、「お金の投入間違いがあります。購入を行う場合はそのままお待ちください。」のメッセージをディスプレイ２１３に表示させる。状態９０４において、所定時間が経過するか、金銭投入口２１１へ不足分の金銭が投入されると、制御回路２２０は状態９０３へ移行する。
【００７５】
図１０は、制御例２における表示の他の例を示す図である。図１０においては、制御回路２２０が購入ボタン２１２の点灯状態によって警告情報を出力する場合について説明する。図１０において、図７に示した部分と同様の部分については同一の符号を付して説明を省略する。状態１００１〜１００４のそれぞれは制御回路２２０の購入ボタン２１２の状態を示している。
【００７６】
状態１００１は、制御回路２２０が購入ボタン２１２の押下を受け付けている押下受付時（図８のステップＳ８０１）の購入ボタン２１２の状態である。状態１００１に示すように、制御回路２２０は、購入ボタン２１２を消灯させることで、購入ボタン２１２に対応する商品が選択されていないことを利用者に通知する。状態１００１において購入ボタン２１２が押下されると購入ボタン２１２は状態１００２へ移行する。
【００７７】
状態１００２は、制御回路２２０が金銭投入口２１１への金銭の投入を受け付けている投入受付時（図８のステップＳ８０３）の購入ボタン２１２の状態である。状態１００２に示すように、制御回路２２０は、購入ボタン２１２を点灯させることで、購入ボタン２１２に対応する商品が選択されていることを利用者に通知する。状態１００２において金銭が投入され、投入額が商品の価格以上となると購入ボタン２１２は状態１００３または状態１００４へ移行する。
【００７８】
状態１００３は、投入最小額面の釣銭の数が０（小銭充足）である場合（図８のステップＳ８１１からステップＳ８１６へ移行する場合）の購入ボタン２１２の状態である。状態１００３に示すように、制御回路２２０は、商品提供口２１４から商品を提供して釣銭払出口２１５から釣銭を払い出すとともに、購入ボタン２１２を消灯することで、購入ボタン２１２の押下が再度無効になったことを利用者へ通知する。
【００７９】
状態１００４は、投入最小額面の釣銭の数が１以上（小銭不足）である場合（図８のステップＳ８１３）の購入ボタン２１２の状態である。状態１００４に示すように、制御回路２２０は、購入ボタン２１２を点滅させることで、釣銭を減らすには小銭の数が不足していることを利用者へ通知する。状態１００４において所定時間が経過するか、または利用者が小銭の不足分を追加で投入すると、制御回路２２０は、商品提供口２１４から商品を提供し、釣銭払出口２１５から釣銭を払い出して状態１００３へ移行する。
【００８０】
このように、制御回路２２０は、釣銭の払い出しを保留してから所定時間が経過した場合に釣銭を払い出す。これにより、利用者は、警告情報が出力された場合に、金銭の追加投入を行わなくても決済（購入）を行うことができる。このため、たとえば、釣銭を減らすことを意図して小銭を投入したが、釣銭を減らすには手持ちの小銭が足りなかった場合や、急いでいる場合などにも利用者にストレスを与えずに決済を行うことができる。
【００８１】
また、図５および図１０に示した制御回路２２０による制御例１および制御例２を、利用者の選択によって選択可能にしてもよい。たとえば、利用者によって最初に金銭が投入された場合は制御例１となり、利用者によって最初に購入ボタン２１２が押下された場合は制御例２となるように制御回路２２０が制御する。
【００８２】
（制御回路による制御例３）
図１１は、自動販売機の制御回路による制御例３を示すフローチャートである。図２に示した自動販売機２００の制御回路２２０は、たとえば図１１に示す各ステップを実行する。自動販売機２００は、提供可能な商品の価格が一定である自動販売機であるとする。この場合は、自動販売機２００は購入ボタン２１２を備えていなくてもよい。
【００８３】
まず、制御回路２２０は、提供可能な商品の価格をメモリ２３０から取得し（ステップＳ１１０１）、ステップＳ１１０２へ移行する。図１１に示すステップＳ１１０２〜Ｓ１１１６は、図８に示したステップＳ８０３〜Ｓ８１７と同様である。
【００８４】
図１２は、制御例３における表示の一例を示す図である。図１２においては、制御回路２２０がディスプレイ２１３によって警告情報を出力する場合について説明する。状態１２０１〜１２０３のそれぞれは、図１１に示した制御例３における制御回路２２０のディスプレイ２１３による表示状態を示している。
【００８５】
状態１２０１は、制御回路２２０が金銭の投入の受付を行っている投入受付時（図１１のステップＳ１１０２）のディスプレイ２１３による表示状態である。状態１２０１に示すように、制御回路２２０は、「お金を入れてください。」のメッセージをディスプレイ２１３に表示させることにより利用者に対して金銭の投入を促す。状態１２０２において金銭が投入され、投入額が商品の価格以上となるとディスプレイ２１３は状態１２０２または状態１２０３へ移行する。
【００８６】
状態１２０２は、投入最小額面の釣銭の数が０（小銭充足）である場合（図１１のステップＳ１１１０からステップＳ１１１５へ移行する場合）のディスプレイ２１３による表示状態である。状態１２０２に示すように、制御回路２２０は、「購入ありがとうございました。」のメッセージをディスプレイ２１３に表示させる。そして、制御回路２２０は、商品提供口２１４から商品を提供し、釣銭払出口２１５から釣銭を払い出す。
【００８７】
状態１２０３は、投入最小額面の釣銭の数が１以上（小銭不足）である場合（図１１のステップＳ１１１２）のディスプレイ２１３による表示状態である。状態１２０３に示すように、制御回路２２０は、「お金の投入間違いがあります。購入を行う場合はそのままお待ちください。」のメッセージをディスプレイ２１３に表示させる。状態１２０３において、所定時間が経過するか、金銭投入口２１１へ不足分の金銭が投入されると、制御回路２２０は状態１２０２へ移行する。
【００８８】
図１３は、制御例３における表示の他の例を示す図である。図１３に示すランプ１３１０は、自動販売機２００に設けられたランプである。図１３においては、制御回路２２０がランプ１３１０の点灯状態によって警告情報を出力する場合について説明する。図１３において、図７に示した部分と同様の部分については同一の符号を付して説明を省略する。状態１３０１〜１３０３のそれぞれは制御回路２２０のランプ１３１０の状態を示している。
【００８９】
状態１３０１は、制御回路２２０が金銭の投入の受付を行っている投入受付時（図１１のステップＳ１１０２）のランプ１３１０の状態である。状態１３０１に示すように、制御回路２２０は、ランプ１３１０を点灯させることで、商品を購入可能であることを利用者に通知する。状態１３０１において金銭が投入され、投入額が商品の価格以上になるとランプ１３１０は状態１３０２または状態１３０３へ移行する。
【００９０】
状態１３０２は、投入最小額面の釣銭の数が０（小銭充足）である場合（図１１のステップＳ１１１０からステップＳ１１１５へ移行する場合）のランプ１３１０の状態である。状態１３０２に示すように、制御回路２２０は、商品提供口２１４から商品を提供して釣銭払出口２１５から釣銭を払い出すとともに、ランプ１３１０を消灯することで、決済が終了したことを利用者へ通知する。
【００９１】
状態１３０３は、投入最小額面の釣銭の数が１以上（小銭不足）である場合（図１１のステップＳ１１１２）のランプ１３１０の状態である。状態１３０３に示すように、制御回路２２０は、ランプ１３１０を点滅させることで、釣銭を減らすには小銭の数が不足していることを利用者へ通知する。状態１３０３において所定時間が経過し、または利用者が小銭の不足分を追加で投入すると、制御回路２２０は、商品提供口２１４から商品を提供し、釣銭払出口２１５から釣銭を払い出して状態１３０２へ移行する。
【００９２】
（額面ごとの釣銭の数の算出）
図１４は、額面ごとの釣銭の数の算出の一例を示すフローチャートである。制御回路２２０は、たとえば図１４に示す各ステップを実行することによって額面ごとの釣銭の数を算出する。ここで、利用者へ払い出すべき額面Ｘ（Ａ）の釣銭の数を釣銭数Ｚ（Ａ）とする。インデックスＡのそれぞれについて釣銭数Ｚ（Ａ）の初期値は０とする。
【００９３】
まず、制御回路２２０は、額面Ｘ（Ａ）のインデックスＡを９に設定することで初期化する（ステップＳ１４０１）。つぎに、制御回路２２０は、投入額と価格との差分によって釣銭残額Ｒを算出する（ステップＳ１４０２）。釣銭残額Ｒは、利用者へ払い出すべき釣銭額のうちの釣銭数Ｚ（Ａ）へ換算していない金額である。
【００９４】
つぎに、制御回路２２０は、釣銭残額Ｒが額面Ｘ（Ａ）以上であるか否かを判断する（ステップＳ１４０３）。釣銭残額Ｒが額面Ｘ（Ａ）以上である場合（ステップＳ１４０３：Ｙｅｓ）は、制御回路２２０は、釣銭数Ｚ（Ａ）に１を加える（ステップＳ１４０４）。つぎに、制御回路２２０は、釣銭残額Ｒから額面Ｘ（Ａ）が示す単位額を減算し（ステップＳ１４０５）、ステップＳ１４０３へ戻る。
【００９５】
ステップＳ１４０３において、釣銭残額Ｒが額面Ｘ（Ａ）未満である場合（ステップＳ１４０３：Ｎｏ）は、制御回路２２０は、インデックスＡが０であるか否かを判断する（ステップＳ１４０６）。これにより、すべてのインデックスＡについて釣銭数Ｚ（Ａ）を算出したか否かを判断することができる。インデックスＡが０でない場合（ステップＳ１４０６：Ｎｏ）は、制御回路２２０は、インデックスＡから１を減算し（ステップＳ１４０７）、ステップＳ１４０３へ戻る。
【００９６】
ステップＳ１４０６において、インデックスＡが０である場合（ステップＳ１４０６：Ｙｅｓ）は、制御回路２２０は、一連の処理を終了する。これにより、インデックスＡのそれぞれについて釣銭数Ｚ（Ａ）を算出することができる。
【００９７】
図１５は、額面ごとの釣銭の数の算出の他の例を示すフローチャートである。制御回路２２０は、たとえば図１５に示す各ステップを実行することによって額面ごとの釣銭の数を算出する。まず、制御回路２２０は、額面Ｘ（Ａ）のインデックスＡを９に設定することで初期化する（ステップＳ１５０１）。つぎに、制御回路２２０は、投入額と価格との差分によって釣銭残額Ｒを算出する（ステップＳ１５０２）。
【００９８】
つぎに、制御回路２２０は、釣銭情報３００から釣銭残数Ｙ（Ａ）を取得し、釣銭残額Ｒが額面Ｘ（Ａ）以上であり、かつ釣銭残数Ｙ（Ａ）が釣銭数Ｚ（Ａ）より大きいか否かを判断する（ステップＳ１５０３）。釣銭残額Ｒが額面Ｘ（Ａ）以上であり、かつ釣銭残数Ｙ（Ａ）が釣銭数Ｚ（Ａ）より大きい場合（ステップＳ１５０３：Ｙｅｓ）は、制御回路２２０は、釣銭数Ｚ（Ａ）に１を加える（ステップＳ１５０４）。
【００９９】
つぎに、制御回路２２０は、釣銭情報３００の釣銭残数Ｙ（Ａ）から１を減算する（ステップＳ１５０５）。つぎに、制御回路２２０は、釣銭残額Ｒから額面Ｘ（Ａ）が示す単位額を減算し（ステップＳ１５０６）、ステップＳ１５０３へ戻る。
【０１００】
ステップＳ１５０３において、釣銭残額Ｒが額面Ｘ（Ａ）未満であるか、または釣銭残数Ｙ（Ａ）が釣銭数Ｚ（Ａ）より大きくない場合（ステップＳ１５０３：Ｎｏ）は、制御回路２２０は、ステップＳ１５０７へ移行する。図１５に示すステップＳ１５０７，Ｓ１５０８は、図１４に示したステップＳ１４０６，Ｓ１４０７と同様である。これにより、インデックスＡのそれぞれについて、釣銭払出口２１５が払出可能な釣銭数Ｚ（Ａ）を算出することができる。
【０１０１】
以上説明したように、決済装置および決済方法によれば、投入された各額面のうちの最小単位の額面の釣銭の数がゼロでない場合に、小銭の不足を利用者へ通知するとともに釣銭の払い出しを一時保留することができる。これにより、投入した小銭がそのまま釣銭になることを回避し、利用者に対する利便性を向上させることができる。上述した実施の形態に関し、さらに以下の付記を開示する。
【０１０２】
（付記１）利用者からの金銭の投入を受け付ける受付部と、
前記受付部に投入された金銭の額面のうちの最小単位の額面の釣銭の数が１以上である場合に前記利用者へ警告情報を出力する出力部と、
前記受付部に投入された金銭に基づいて前記利用者に釣銭を払い出し、前記出力部によって前記警告情報が出力される場合は前記釣銭の払い出しを一時保留する払出部と、
を備えることを特徴とする決済装置。
【０１０３】
（付記２）前記出力部は、前記受付部への前記最小単位の額面の投入数が前記最小単位の額面の釣銭の数以下である場合は前記警告情報を出力し、前記最小単位の額面の投入数が前記最小単位の額面の釣銭の数より大きい場合は前記警告情報を出力しないことを特徴とする付記１に記載の決済装置。
【０１０４】
（付記３）前記受付部への額面ごとの投入数を計数する計数部と、
前記利用者が支払うべき価格を取得する取得部と、
前記計数部によって計数された投入数と、前記取得部によって取得された価格と、に基づいて前記最小単位の額面および前記最小単位の額面の釣銭の数を算出する算出部と、
前記算出部の算出結果に基づいて前記出力部および前記払出部を制御する制御部と、
を備えることを特徴とする付記１または２に記載の決済装置。
【０１０５】
（付記４）前記払出部が現在払い出し可能な釣銭を示す釣銭情報を記憶する釣銭記憶部を備え、
前記算出部は、前記釣銭記憶部によって記憶された釣銭情報に基づいて、前記払出部が現在払い出し可能な前記最小単位の額面の釣銭の数を算出することを特徴とする付記３に記載の決済装置。
【０１０６】
（付記５）前記計数部は、前記額面ごとの投入数を、より大きな額面への換算が可能な場合は前記換算を行って計数することを特徴とする付記３または４に記載の決済装置。
【０１０７】
（付記６）前記算出部は、前記計数部によって計数された額面ごとの投入数に基づいて前記利用者による投入額を算出し、算出した投入額および前記価格に基づいて前記利用者への釣銭額を算出し、算出した釣銭額に基づいて前記最小単位の額面の釣銭の数を算出することを特徴とする付記３乃至５のいずれか一項に記載の決済装置。
【０１０８】
（付記７）前記利用者による金銭の投入により前記利用者へ商品を提供する自動販売機に適用される決済装置であって、
前記商品と前記価格とを対応付ける商品価格情報を記憶する価格記憶部と、
前記利用者による前記商品の選択を受け付ける選択受付部と、
を備え、
前記取得部は、前記価格記憶部によって記憶された商品価格情報に基づいて、前記選択受付部によって選択された商品に対応する価格を取得することを特徴とする付記３乃至６のいずれか一項に記載の決済装置。
【０１０９】
（付記８）価格が一定の商品を提供する自動販売機に適用される決済装置であって、
前記商品の価格を記憶する価格記憶部を備え、
前記取得部は、前記価格記憶部によって記憶された価格を取得することを特徴とする付記３乃至６のいずれか一項に記載の決済装置。
【０１１０】
（付記９）決済の実行の指示を受け付ける指示受付部を備え、
前記払出部は、前記釣銭の払い出しを保留した後に、前記指示受付部に対して前記決済の実行が指示された場合に前記釣銭を払い出すことを特徴とする付記１乃至８のいずれか一項に記載の決済装置。
【０１１１】
（付記１０）前記払出部は、前記釣銭の払い出しを保留してから所定時間が経過した場合に前記釣銭を払い出すことを特徴とする付記１乃至９のいずれか一項に記載の決済装置。
【０１１２】
（付記１１）決済装置が、
利用者からの金銭の投入を受け付け、
投入された金銭の額面のうちの最小単位の額面の釣銭の数が１以上である場合に前記利用者へ警告情報を出力し、
投入された金銭に基づいて前記利用者に釣銭を払い出し、前記警告情報を出力する場合は前記釣銭の払い出しを一時保留する、
ことを特徴とする決済方法。
【符号の説明】
【０１１３】
１００  決済装置
１１０  受付部
１２０，２２０  制御回路
１３０  出力部
１４０  払出部
１２１  計数部
１２２  取得部
１２３  算出部
１２４  制御部
２００  自動販売機
３００  釣銭情報
４００  商品価格情報
【図１】
0005652171.tif 000002
【図２】
0005652171.tif 000003
【図３】
0005652171.tif 000004
【図４】
0005652171.tif 000005
【図５】
0005652171.tif 000006
【図６】
0005652171.tif 000007
【図７】
0005652171.tif 000008
【図８】
0005652171.tif 000009
【図９】
0005652171.tif 000010
【図１０】
0005652171.tif 000011
【図１１】
0005652171.tif 000012
【図１２】
0005652171.tif 000013
【図１３】
0005652171.tif 000014
【図１４】
0005652171.tif 000015
【図１５】
0005652171.tif 000016